(57)【要約】      （修正有）【課題】簡単な構造で安価にトイレットペーパーの先端を折り曲げることができるトイレットペーパーホルダーを提供する。【解決手段】上蓋１３の下にトイレットペーパーの先端部を三角形状に折り曲げるための定規１７と、定規を定位置からトイレットペーパーの引き出し方向に移動させると共に、定位置に戻す移動手段１８と、定規が定位置にある時に、定規の先端を持ち上げて浮かせる持上手段１９と、トイレットペーパーの両端部を定規よりも下方に押し下げるように上蓋の内側に配設された一対の押下部材２５と、押し下げられたトイレットペーパーの両端部を定規の下方に折り込むように回動する一対の折込手段２２と、を備える。折込手段は、移動手段１８に連動して、折込回動手段２３により回動する。【選択図】図２
0003200187.tif 000002
【実用新案登録請求の範囲】
【請求項１】
ロール状のトイレットペーパーを回転可能に支持する支持手段と、
この支持手段により支持されたトイレットペーパーの上方を覆い、少なくとも一部を下方に押し下げることが可能な上蓋と、
この上蓋の下方に配設され、トイレットペーパーの引き出し方向に向かって中央部が突出するように幅が狭くなる三角状部を有する定規と、
この定規を定位置からトイレットペーパーの引き出し方向に移動させると共に、移動させた定規を定位置に戻す移動手段と、
前記定規が定位置にある時に、前記定規の先端を持ち上げて浮かせる持上手段と、
前記上蓋の内側において、前記三角状部の両脇に対応する位置に、トイレットペーパーの幅方向における両端部を前記定規よりも下方に押し下げるように下側に突出して配設された一対の押下部材と、
前記押下部材により押し下げられたトイレットペーパーの両端部を前記定規の下方に向かって折り込むように回動する一対の折込手段と、
前記移動手段に連動して、前記定規をトイレットペーパーの引き出し方向に移動させる際に、前記一対の折込手段を前記定規の下方に向って回動させ、前記定規を定位置に戻す際に、前記一対の折込手段をトイレットペーパーの両側に退避させる折込回動手段と、
前記定規が定位置に戻る際に、トイレットペーパーの逆送を防止する逆送防止手段と
を備えたことを特徴とするトイレットペーパーホルダー。
【請求項２】
前記折込回動手段は、
前記折込手段を前記定規の下方に向かって回動するように付勢する折込付勢部材と、
前記折込手段に配設され、一部が前記移動手段に係止されて、前記移動手段と連動して前記折込手段を回動させる係止部材と
を有することを特徴とする請求項１記載のトイレットペーパーホルダー。
【請求項３】
前記一対の折込手段との間に折り込まれたトイレットペーパーを挟んで保持する挟持手段を備えたことを特徴とする請求項１または請求項２記載のトイレットペーパーホルダー。
【考案の詳細な説明】
【技術分野】
【０００１】
本考案は、トイレットペーパーの端部を三角形状に折り曲げることができるトイレットペーパーホルダーに関する。
【背景技術】
【０００２】
トイレットペーパーホルダーとしては、一般に、トイレットペーパーを回転自在に支持する支持具と、トイレットペーパーを覆うカバーとを有し、トイレットペーパーの端部を引き出してカバー先端で切り取って使用するようにしたものが用いられている。しかし、このようなトイレットペーパーホルダーでは、トイレットペーパーを切り取った後の端部がカバーの下に隠れてしまい、次に使用する際に引き出しにくいという問題があった。そこで、トイレットペーパーを切り取った後に、端部を自動的に三角形状に折り畳み、供給することができる折り畳み装置が提案されている（例えば、特許文献１参照）。
【先行技術文献】
【特許文献】
【０００３】
【特許文献１】特開平６−１６９８５６号公報
【考案の概要】
【考案が解決しようとする課題】
【０００４】
特許文献１に記載の折り畳み装置によれば、トイレットペーパーの切り取りを切取検知器により検知すると、ペーパー折込機構によって先端を所定形状に折り込み、ペーパー送り機構により先端を所定位置まで送り込むことができるが、構造が複雑で、コスト高であるという問題があった。
【０００５】
本考案は、このような問題に基づきなされたものであり、簡単な構造で安価にトイレットペーパーの先端を折り曲げることができるトイレットペーパーホルダーを提供することを目的とする。
【課題を解決するための手段】
【０００６】
本考案のトイレットペーパーホルダーは、ロール状のトイレットペーパーを回転可能に支持する支持手段と、この支持手段により支持されたトイレットペーパーの上方を覆い、少なくとも一部を下方に押し下げることが可能な上蓋と、この上蓋の下方に配設され、トイレットペーパーの引き出し方向に向かって中央部が突出するように幅が狭くなる三角状部を有する定規と、この定規を定位置からトイレットペーパーの引き出し方向に移動させると共に、移動させた定規を定位置に戻す移動手段と、定規が定位置にある時に、定規の先端を持ち上げて浮かせる持上手段と、上蓋の内側において、定規が定位置にある時に三角状部の両脇に対応する位置に、トイレットペーパーの幅方向における両端部を定規よりも下方に押し下げるように下側に突出して配設された一対の押下部材と、押下部材により押し下げられたトイレットペーパーの両端部を定規の下方に向って折り込むように回動する一対の折込手段と、移動手段に連動して、定規をトイレットペーパーの引き出し方向に移動させる際に、一対の折込手段を定規の下方に向って回動させ、定規を定位置に戻す際に、一対の折込手段をトイレットペーパーの両側に退避させる折込回動手段と、定規が定位置に戻る際に、トイレットペーパーの逆送を防止する逆送防止手段とを備えたものである。
【０００７】
このトイレットペーパーホルダーでは、トイレットペーパーを支持手段により支持し、トイレットペーパーの長手方向の先端部を定規と上蓋との間を通して引き出す。トイレットペーパーを切り取る際には、トイレットペーパーの先端部を引き出し、上蓋を押し下げて、上蓋に沿って切り取る。トイレットペーパーホルダーの内側では、上蓋を押し下げると、押下部材によりトイレットペーパーの両端部が押し下げられる。次いで、定規をトイレットペーパーの引き出し方向に移動させるように移動手段を移動させると、折込手段が回動されてトイレットペーパーの両端部が定規の下方に向って折り込まれると共に、三角形状に折り曲げられたトイレットペーパーの先端部が上蓋よりも外側に引き出される。その後、逆送防止手段によりトイレットペーパーの逆送を防止しつつ、移動手段により定規を定位置に戻すと共に、折込手段をトイレットペーパーの両側に退避させる。
【考案の効果】
【０００８】
本考案のトイレットペーパーホルダーによれば、移動手段により折込手段を定規の下方に向かって回動させると共に、定規をトイレットペーパーの引き出し方向に移動させるようにしたので、移動手段を操作するだけで、簡単にトイレットペーパーを折り込むことができる。よって、簡単な構成で簡単にトイレットペーパーの先端部を折り曲げることができ、価格も安価とすることができる。
【０００９】
また、折込手段との間に折り込まれたトイレットペーパーを挟んで保持する挟持手段を備えるようにすれば、よりきれいにトイレットペーパーを折り曲げることができる。
【図面の簡単な説明】
【００１０】
【図１】本発明の一実施の形態に係るトイレットペーパーホルダーの外観構成を表す斜視図である。
【図２】図１に示したトイレットペーパーホルダーの内側の構成を表す斜視図である。
【図３】図１に示したトイレットペーパーホルダーを側面から見た内部構成について一部を取り出して表す図である。
【図４】図１に示したトイレットペーパーホルダーの構成を表す断面図である。
【図５】図１に示したトイレットペーパーホルダーを上から見た内側の構成を表す図である。
【図６】図１に示したトイレットペーパーホルダーを上から見た構成を表す図である。
【図７】図１に示したトイレットペーパーホルダーにトイレットペーパーを取り付ける手順を表す図である。
【考案を実施するための形態】
【００１１】
以下、本考案の実施の形態について、図面を参照して詳細に説明する。
【００１２】
図１は、本考案の一実施の形態に係るトイレットペーパーホルダー１の外観構成を表すものであり、図２は、トイレットペーパーホルダー１の内側の構成を表すものであり、図３は、トイレットペーパーホルダー１を側面から見た内部構成について一部の構成要素を取り出して表すものであり、図４は、トイレットペーパーホルダー１の断面構成の一部を表すものであり、図５は、トイレットペーパーホルダー１を上から見た内側の構成を取り出して表すものであり、図６は、トイレットペーパーホルダー１を上から見た構成を表すものである。このトイレットペーパーホルダー１は、ロール状のトイレットペーパーＭを回転させて引き出すことができるように保持するものであり、例えば、壁などに取り付けるための背面板１１と、背面板１１に対して配設され、トイレットペーパーＭの側面を覆う一対の側面体１２と、背面板１１に対して配設され、トイレットペーパーＭの上方を覆う上蓋１３とを備えている。
【００１３】
側面体１２は、下側において背面板１１に対して回動可能に取り付けられている。側面体１２の上側は、背面板１１に対して着脱手段１４（図３参照）により着脱可能に固定され、前側に倒すことができるようになっている。着脱手段１４は、例えば、磁石などによる磁力を利用して着脱することができるように構成されている。側面体１２の外側には、取っ手１５が設けられており、取っ手１５を持って側面体１１の上側を前側に倒すことができるようになっている。取っ手１５は、両方の側面体１２に設けてもよく、片方の側面体１２に設けるようにしてもよい。一対の側面体１２の内側には、トイレットペーパーＭを回転可能に支持する一対の支持手段１６が対向方向に向かって突出するようにそれぞれ設けられている。支持手段１６は、例えば、ばねなどにより倒すことができるように構成されており、これによりトイレットペーパーＭを着脱することができるようになっている。
【００１４】
上蓋１３は、背面板１１に対して回動可能に取り付けられた支持蓋部１３Ａと、支持蓋部１３Ａに対して蝶番などにより下側に向かって回動可能に取り付けられた押圧蓋部１３Ｂとを有している。支持蓋部１３Ａは、幅方向における両端部が一対の側面体１２の上端部に当接することにより支持されている。押圧蓋部１３Ｂは、支持蓋部１３Ａと押圧蓋部１３Ｂとに掛け渡して配設された板ばね１３Ｃにより支持されており、押し下げられた状態からもとに戻ることができるようになっている。押圧蓋部１３Ｂの先端部近傍には、押圧した際に先端部が当接する当接部材１２Ａが設けられている。当接部材１２Ａの両端部は、一対の側面体１２に対して配設されている。支持蓋部１３Ａの背面板１１に対する取り付け部には、支持蓋部１３Ａを上方に向かって付勢するばねなどの支持蓋付勢部材１３Ｄが配設されており、支持蓋部１３Ａは蓋固定部材１３Ｅにより、側面体１２に対して着脱可能に固定されている（図４参照）。蓋固定部材１３Ｅは、例えば、磁石などによる磁力を利用して着脱することができるように構成されている。支持蓋部１３Ａの側面体１２の近傍には、先端側に向かって傾斜して突出された傾斜突起部１３Ｆが設けられており、その背面板１１の側の近傍には、側面体１２に対して配設された突起部１２Ｂが設けられている（図４参照）。これにより、側面体１２を前に倒すと、突起部１２Ｂが傾斜突起部１３Ｆに当たり、支持蓋部１３Ａを上方に持ち上げて、蓋固定部材１３Ｅによる固定が解除され、支持蓋付勢部材１３Ｄにより上蓋１３が開くようになっている。
【００１５】
上蓋１３の下方には、トイレットペーパーＭの先端部を三角形状に折り曲げるための定規１７が配設されている。定規１７は、トイレットペーパーＭの引き出し方向に向かって中央部が突出するように幅が狭くなる三角状部１７Ａを有している。定規１７の後端部は、定規芯１７Ｂに対して回動可能に配設されている。定規芯１７Ｂは、一対の側面体１２にそれぞれ回動可能に配設された一対の移動手段１８（図３参照）の上端部に対して、両端部がそれぞれ固定されている。移動手段１８は、回動することにより定規１７を定位置からトイレットペーパーＭの引き出し方向に移動させるものである。一対の移動手段１８の下端部には、それらを連結する連結部材１８Ａが配設されている。移動手段１８には、また、上端側をトイレットペーパーＭの引き出し方向とは逆方向に付勢するばねなどの定位置付勢部材１８Ｂが配設されており、定位置からトイレットペーパーＭの引き出し方向に移動された定規１７を定位置に戻すことができるようになっている。定規１７は、定位置にある時に、先端が持上手段１９により持ち上げられて浮いた状態となっている。トイレットペーパーＭの先端部を折り曲げやすくするためである。持上手段１９は、例えば、磁石などによる磁力を利用して持ち上げるように構成されており、定規１７の三角状部１７Ａの下側と、その下方とに、互いに反発する極を対向させた一対の磁石１９Ａがそれぞれ配設されている。
【００１６】
定規１７の上側には、トイレットペーパーＭの引き出し方向に移動された定規１７が定位置に戻る際に、トイレットペーパーＭの逆送を防止する逆送防止手段２１が配設されている。逆送防止手段２１は、後端部において一対の側面体１２に対して回動可能に配設されており、先端部の一部は定規１７と接触している。逆送防止手段２１は、トイレットペーパーＭを支えて、トイレットペーパーＭと定規１７との接触を少なくし、逆送を防止するようになっている。定規１７の下側近傍には、トイレットペーパーＭの両端部を定規１７の下方に向って内側に折り込むように回動する一対の折込手段２２が配設されている（図５参照）。折込手段２２は、例えば、一方向に伸長されており、一端部に折込手段２２の回動を制御するための折込回動手段２３が配設され、他端部が側面体１２の側から内側に向かい定規１７の下側近傍まで回動するように構成されている。
【００１７】
折込回動手段２３は、移動手段１８に連動して、定規１７をトイレットペーパーＭの引き出し方向に移動させる際に、一対の折込手段２２を定規１７の下方に向って回動させ、定規１７を定位置に戻す際に、一対の折込手段２２をトイレットペーパーＭの両側に退避させるものである。折込回動手段２３は、例えば、折込手段２２を定規１７の下方に向かって回動するように付勢するばねなどの折込付勢部材２３Ａと、折込手段２２に配設され、一部が移動手段１８に係止される係止部材２３Ｂとを有している（図５参照）。係止部材２３Ｂは、例えば、一部が移動手段１８の方に突出して設けられ、側面体１２に設けられた配設凹部１２Ｃに挿入されて、移動手段１８の上端側に係止するように配設されている。これにより、係止部材２３Ｂは、移動手段１８と連動して折込手段２２を回動させるようになっている。具体的には、例えば、定規１７がトイレットペーパーＭの引き出し方向に移動するように移動手段１８を移動させると、係止部材２３Ｂの係止位置が引き出し方向に移動し、折込付勢部材２３Ａにより折込手段２２の他端部が定規１７の下方に向かって回動し、逆に、定規１７を定位置に戻すように移動手段１８を移動させると、係止部材２３Ｂの係止位置が背面板１１の方に移動し、折込手段２２の他端部がトイレットペーパーＭの両側に退避するようになっている。
【００１８】
定規１７の下側近傍には、また、折り込まれたトイレットペーパーＭを一対の折込手段２２との間に挟んで保持する一対の挟持手段２４が配設されていることが好ましい。挟持手段２４は、例えば、ばね２４Ａなどにより折込手段２１の方向に力を加えることができるように構成されていることが好ましい。
【００１９】
定規１７に対応する押圧蓋体１３Ｂの内側には、トイレットペーパーＭの両端部を定規１７よりも下方に押し下げる一対の押下部材２５が設けられている。押下部材２５は、例えば、三角状部１７Ａの両脇に対応する位置に、下側に突出して配設されている（図４および図６参照）。これにより、トイレットペーパーＭの両端部が定規１７よりも下方に押し下げられ、折込手段２２は、押下部材２５により押し下げられたトイレットペーパーＭの両端部を折り込むように回動するようになっている。
【００２０】
このトイレットペーパーホルダー１は次のようにして用いられる。図７は、トイレットペーパーホルダー１にトイレットペーパーＭを取り付ける手順を表すものである。このトイレットペーパーホルダー１では、図７（Ａ）に示したように、まず、取っ手１５を持って側面体１２の上側を前に倒す。その際、突起部１２Ｂが傾斜突起部１３Ｆに当たり、上蓋１３が持ち上げられ、蓋固定部材１３Ｅによる固定が解除されて、支持蓋付勢部材１３Ｄにより上蓋１３が開く。次いで、図７（Ｂ）に示したように、トイレットペーパーＭを一対の側面体１２の間に挿入して、支持手段１６に取り付け、トイレットペーパーＭの先端部は、逆送防止手段２１および定規１７の上に乗せる。その後、図７（Ｃ）に示したように、側面体１２の上側を背面板１１に固定し、上蓋１３を閉める。これにより、トイレットペーパーＭは支持手段１６により支持され、長手方向の先端部が逆送防止手段２１および定規１７と上蓋１３との間を通して引き出されて取り付けられる。
【００２１】
また、トイレットペーパーＭを切り取る際には、トイレットペーパーＭの先端部を引き出し、上蓋１３の押圧蓋体１３Ｂを押し下げて、上蓋１３に沿って切り取る。トイレットペーパーホルダー１の内側では、押圧蓋体１３Ｂを押し下げると、押下部材２８が押し下げられ、トイレットペーパーＭの両端部が定規１７よりも下方に押し下げられる。次いで、移動手段１８を動かして、定規１７をトイレットペーパーＭの引き出し方向に移動させる。これにより、係止部材２３Ｂの係止位置が引き出し方向に移動し、折込付勢部材２３Ａにより折込手段２２の他端部が定規１７の下方に向かって回動し、トイレットペーパーＭの両端部が定規の下方に向って折り込まれる。また、三角形状に折り曲げられたトイレットペーパーＭの先端部が定規１７の移動により上蓋よりも外側に引き出される。その後、移動手段１８に力を加えることを止めると、定位置付勢部材１８Ｂにより移動手段１８が元の位置に戻り、定規１７が定位置に戻る。その際、トイレットペーパーＭの先端部は、逆送防止手段２１により逆送が防止されて上蓋１３よりも外側に引き出された状態となる。また、係止部材２３Ｂの係止位置が背面板１１の方に移動し、折込手段２２がトイレットペーパーＭの両側に退避される。
【００２２】
このように本実施の形態のトイレットペーパーホルダー１によれば、移動手段１８により折込手段２２を定規１７の下方に向かって回動させると共に、定規１７をトイレットペーパーＭの引き出し方向に移動させるようにしたので、移動手段１８を操作するだけで、簡単にトイレットペーパーＭを折り込むことができる。よって、簡単な構成で簡単にトイレットペーパーＭの先端部を折り曲げることができ、価格も安価とすることができる。
【００２３】
また、折込手段２２との間に折り込まれたトイレットペーパーＭを挟んで保持する挟持手段２３を備えるようにすれば、よりきれいにトイレットペーパーＭを折り曲げることができる。
【００２４】
以上、実施の形態を挙げて本考案を説明したが、本考案は上記実施の形態に限定されるものではなく、種々変形可能である。例えば、上記実施の形態では、上蓋１３の一部を下方に押し下げることができるようにしたが、上蓋１３の全体を下方に押し下げることができるようにしてもよい。
【産業上の利用可能性】
【００２５】
トイレットペーパーを取り付けて使用する際に用いることができる。
【符号の説明】
【００２６】
１…トイレットペーパーホルダー、１１…背面板、１２…側面体、１２Ａ…当接部材、１２Ｂ…突起部、１２Ｃ…配設凹部、１３…上蓋、１３Ａ…支持蓋体、１３Ｂ…押圧蓋体、１３Ｃ…板ばね、１３Ｄ…支持蓋付勢部材、１３Ｅ…蓋固定部材、１３Ｆ…傾斜突起部、１４…着脱手段、１５…取っ手、１６…支持手段、１７…定規、１７Ａ…三角状部、１７Ｂ…定規芯、１８…移動手段、１８Ａ…連結部材、１８Ｂ…定位置付勢部材、１９…持上手段、１９Ａ…磁石、２１…逆送防止手段、２２…折込手段、２３…折込回動手段、２３Ａ…折込付勢部材、２３Ｂ…係止部材、２４…挟持手段、２４Ａ…ばね、２５…押下部材
【図１】
0003200187.tif 000003
【図２】
0003200187.tif 000004
【図３】
0003200187.tif 000005
【図４】
0003200187.tif 000006
【図５】
0003200187.tif 000007
【図６】
0003200187.tif 000008
【図７】
0003200187.tif 000009